(57)【要約】【課題】負荷制御に対する需要家全体の満足度を向上させる。【解決手段】演算装置は、複数の機器のそれぞれの評価値を記憶し、予め定められた計画期間の前に、第一需要情報と第一供給情報とを受信し、計画期間における第一需要量および第一供給量を予測し、複数の機器の中から負荷制御の対象の候補となる候補グループを選択し、負荷制御の確認を示す確認情報を、候補グループに対応する通信先へ送信し、負荷制御の拒否を示す拒否情報を受信した場合、拒否情報に対応する機器を候補グループから除き、候補グループの選択の後、第二需要情報と第二供給情報とを受信し、計画期間における第二需要量および第二供給量を予測し、候補グループの中から負荷制御の対象となる対象グループを選択し、対象グループの負荷を制御する指令を、対象グループに対応する制御装置へ送信する。【選択図】図１
2015154590.tif 000002
【特許請求の範囲】
【請求項１】
電力網から電力の供給を受ける複数の機器のうち、対応付けられた機器による電力の需要を計測して計測情報として送信し、指令に応じて、前記対応付けられた機器の負荷を制御することにより前記対応付けられた機器の需要を削減する制御装置と、
前記複数の機器のそれぞれの評価値を記憶し、予め定められた計画期間の前に、前記複数の機器のそれぞれの計測情報を含む第一需要情報と、前記電力網からの供給を示す第一供給情報とを受信し、前記第一需要情報に基づいて前記計画期間における前記複数の機器による第一需要量を予測し、前記第一供給情報に基づいて前記計画期間における前記複数の機器への第一供給量を予測し、前記第一需要量と前記第一供給量と前記評価値とに基づいて、前記複数の機器の中から負荷制御の対象の候補となる候補グループを選択し、前記負荷制御の確認を示す確認情報を、前記候補グループに対応する通信先へ送信し、前記負荷制御の拒否を示す拒否情報を受信した場合、前記拒否情報に対応する機器を前記候補グループから除き、前記候補グループの選択の後、前記複数の機器のそれぞれの計測情報を含む第二需要情報と、前記電力網からの供給を示す第二供給情報とを受信し、前記第二需要情報に基づいて前記計画期間における前記複数の機器による第二需要量を予測し、前記第二供給情報に基づいて前記計画期間における前記複数の機器への第二供給量を予測し、前記第二需要量と前記第二供給量と前記評価値とに基づいて、前記候補グループの中から負荷制御の対象となる対象グループを選択し、前記対象グループの負荷を制御する指令を、前記対象グループに対応する制御装置へ送信する演算装置と、
を備える、
電力需要調整システム。
【請求項２】
前記演算装置は、前記計画期間の後、需要家が前記負荷制御に対して不愉快と感じたことを示す不愉快情報を受信し、前記複数の機器のそれぞれに対応する不愉快情報の数に基づいて前記評価値を算出する、
請求項１に記載の電力需要調整システム。
【請求項３】
前記演算装置は、前記候補グループの負荷制御による削減量を減じた第一需要量の前記第一供給量に対する割合が第一閾値以下になるように前記候補グループを決定し、前記対象グループの負荷制御による削減量を減じた第二需要量の前記第二供給量に対する割合が、前記第一閾値より高い第二閾値以下になるように前記対象グループを決定する、
請求項２に記載の電力需要調整システム。
【請求項４】
前記演算装置は、前記計画期間の後、前記候補グループの中の機器に対応する通信先へ、前記負荷制御の結果を示す結果情報を送信し、前記複数の機器のそれぞれに対応する結果情報の数に対する不愉快情報の数の割合である不愉快度を算出し、不愉快度が低い機器ほど選択順位が高くなるように前記選択順位を決定し、前記選択順位に従って前記複数の機器の中から前記候補グループまたは前記対象グループを選択する、
請求項３に記載の電力需要調整システム。
【請求項５】
前記演算装置は、前記計画期間の後、前記候補グループの中で前記対象グループに属していない機器に対応する通信先へ前記結果情報を送信する、
請求項４に記載の電力需要調整システム。
【請求項６】
前記演算装置は、前記複数の機器のそれぞれに対応する確認情報の数に対する拒否情報の数の割合である拒否率を算出し、拒否率が低い機器ほど選択順位が高くなるように前記選択順位を決定し、前記選択順位に従って前記複数の機器の中から前記候補グループを選択する、
請求項５に記載の電力需要調整システム。
【請求項７】
前記複数の機器のそれぞれの評価値は、予め設定された優先度を含み、
前記演算装置は、優先度が高い機器ほど選択順位が高くなるように前記選択順位を決定し、前記選択順位に従って前記複数の機器の中から前記候補グループまたは前記対象グループを選択する、
請求項６に記載の電力需要調整システム。
【請求項８】
前記演算装置は、前記複数の機器のそれぞれと予め設定された複数の時間枠のそれぞれとに対応して評価値を記憶する、
請求項７に記載の電力需要調整システム。
【請求項９】
前記演算装置は、前記複数の機器のそれぞれに対し、前記計測情報に基づいて、前記計画期間に対応する時間枠の電力の需要量を算出し、前記需要量が高い機器ほど選択順位が高くなるように前記選択順位を決定し、前記選択順位に従って前記複数の機器の中から前記候補グループまたは前記対象グループを選択する、
請求項８に記載の電力需要調整システム。
【請求項１０】
前記確認情報に応じて、需要家からの入力を受け付けるための確認画面を表示し、前記負荷制御の拒否を示す入力に応じて、前記拒否情報を前記演算装置へ送信する、入力装置を備える、
請求項１乃至９の何れか一項に記載の電力需要調整システム。
【請求項１１】
前記入力装置は、前記結果情報に応じて、需要家からの入力を受け付けるための調査画面を表示し、前記需要家が前記負荷制御の結果に対して不愉快と感じたことを示す入力に応じて、前記不愉快情報を前記演算装置へ送信する、
請求項１０に記載の電力需要調整システム。
【請求項１２】
前記入力装置は、需要家からの入力を受け付けるための優先度設定画面を表示し、特定の機器と特定の時刻と特定の優先度とを示す優先度情報の入力に応じて、前記優先度情報を前記演算装置へ送信し、
前記演算装置は、前記優先度情報を受信して記憶し、前記計画期間が前記特定の時刻を含む場合、前記特定の優先度に基づいて前記特定の機器の選択順位を決定する、
請求項１１に記載の電力需要調整システム。
【請求項１３】
演算装置が、電力網から電力の供給を受ける複数の機器のそれぞれの評価値を記憶し、
制御装置が、前記複数の機器のうち、対応付けられた機器による電力の需要を計測して計測情報として送信し、
前記演算装置が、予め定められた計画期間の前に、前記複数の機器のそれぞれの計測情報を含む第一需要情報と、前記電力網からの供給を示す第一供給情報とを受信し、
前記演算装置が、前記第一需要情報に基づいて前記計画期間における前記複数の機器による第一需要量を予測し、前記第一供給情報に基づいて前記計画期間における前記複数の機器への第一供給量を予測し、前記第一需要量と前記第一供給量と前記評価値とに基づいて、前記複数の機器の中から負荷制御の対象の候補となる候補グループを選択し、前記負荷制御の確認を示す確認情報を、前記候補グループに対応する通信先へ送信し、
前記演算装置が、前記負荷制御の拒否を示す拒否情報を受信した場合、前記拒否情報に対応する機器を前記候補グループから除き、
前記演算装置が、前記候補グループの選択の後、前記複数の機器のそれぞれの計測情報を含む第二需要情報と、前記電力網からの供給を示す第二供給情報とを受信し、
前記演算装置が、前記第二需要情報に基づいて前記計画期間における前記複数の機器による第二需要量を予測し、前記第二供給情報に基づいて前記計画期間における前記複数の機器への第二供給量を予測し、前記第二需要量と前記第二供給量と前記評価値とに基づいて、前記候補グループの中から負荷制御の対象となる対象グループを選択し、前記対象グループの負荷を制御する指令を、前記対象グループに対応する制御装置へ送信し、
前記制御装置が、前記指令に応じて、前記対応付けられた機器の負荷を制御することにより前記対応付けられた機器の需要を削減する、
ことを備える、
電力需要調整方法。
【請求項１４】
電力網から電力の供給を受ける複数の機器のそれぞれに対して評価値を記憶する記憶部と、
予め定められた計画期間の前に、前記複数の機器のそれぞれの計測情報を含む第一需要情報と、前記電力網からの供給を示す第一供給情報とを受信し、前記第一需要情報に基づいて前記計画期間における前記複数の機器による第一需要量を予測し、前記第一供給情報に基づいて前記計画期間における前記複数の機器への第一供給量を予測し、前記第一需要量と前記第一供給量と前記評価値とに基づいて、前記複数の機器の中から負荷制御の対象の候補となる候補グループを選択し、前記負荷制御の確認を示す確認情報を、前記候補グループに対応する通信先へ送信し、前記負荷制御の拒否を示す拒否情報を受信した場合、前記拒否情報に対応する機器を前記候補グループから除き、前記候補グループの選択の後、前記複数の機器のそれぞれの計測情報を含む第二需要情報と、前記電力網からの供給を示す第二供給情報とを受信し、前記第二需要情報に基づいて前記計画期間における前記複数の機器による第二需要量を予測し、前記第二供給情報に基づいて前記計画期間における前記複数の機器への第二供給量を予測し、前記第二需要量と前記第二供給量と前記評価値とに基づいて、前記候補グループの中から負荷制御の対象となる対象グループを選択し、前記対象グループの負荷を制御する指令を、前記対象グループに対応する制御装置へ送信する演算部と、
を備える、
電力需要調整装置。
【発明の詳細な説明】
【技術分野】
【０００１】
本発明は、電力の需要を調整する技術に関する。
【背景技術】
【０００２】
電力供給が逼迫する場合に、負荷を直接制御することにより、電力需要を削減するＤＬＣ（Direct  Load  Control）が知られている。
【０００３】
特許文献１には、ユーザの電力使用状況を把握し、電力供給先に作業員が出向かなくても、電力供給開始や電力供給停止を行うことができる電力使用状況監視システムが記載されている。
【０００４】
特許文献２には、使用可能な電力より使用電力が上回る場合、負荷を優先順位の低いものから順番に選択して遮断する負荷選択遮断装置が記載されている。
【先行技術文献】
【特許文献】
【０００５】
【特許文献１】特開２０１０−２５６０９８号公報
【特許文献２】特開２００８−１２５２９５号公報
【発明の概要】
【発明が解決しようとする課題】
【０００６】
需要家は、予め負荷制御を認めていても、負荷制御の結果、不愉快になる場合がある。このような不愉快が、負荷制御のシステムの普及の妨げになる場合や、システムからの需要家の離脱に繋がる場合がある。
【課題を解決するための手段】
【０００７】
上記課題を解決するために、本発明の一態様である電力需要調整システムは、制御装置と、演算装置とを備える。制御装置は、電力網から電力の供給を受ける複数の機器のうち、対応付けられた機器による電力の需要を計測して計測情報として送信し、指令に応じて、対応付けられた機器の負荷を制御することにより対応付けられた機器の需要を削減する。演算装置は、複数の機器のそれぞれの評価値を記憶し、予め定められた計画期間の前に、複数の機器のそれぞれの計測情報を含む第一需要情報と、電力網からの供給を示す第一供給情報とを受信し、第一需要情報に基づいて計画期間における複数の機器による第一需要量を予測し、第一供給情報に基づいて計画期間における複数の機器への第一供給量を予測し、第一需要量と第一供給量と評価値とに基づいて、複数の機器の中から負荷制御の対象の候補となる候補グループを選択し、負荷制御の確認を示す確認情報を、候補グループに対応する通信先へ送信し、負荷制御の拒否を示す拒否情報を受信した場合、拒否情報に対応する機器を候補グループから除き、候補グループの選択の後、複数の機器のそれぞれの計測情報を含む第二需要情報と、電力網からの供給を示す第二供給情報とを受信し、第二需要情報に基づいて計画期間における複数の機器による第二需要量を予測し、第二供給情報に基づいて計画期間における複数の機器への第二供給量を予測し、第二需要量と第二供給量と評価値とに基づいて、候補グループの中から負荷制御の対象となる対象グループを選択し、対象グループの負荷を制御する指令を、対象グループに対応する制御装置へ送信する。
【発明の効果】
【０００８】
本発明の一態様によれば、負荷制御に対する需要家全体の満足度を向上させることができる。
【図面の簡単な説明】
【０００９】
【図１】本発明の実施例の電力需要調整システムの構成を示す。
【図２】電力需要調整システムの機能構成を示す。
【図３】電力供給量情報１６１を示す。
【図４】電力供給予測量情報１６２を示す。
【図５】電力需要量情報１６３を示す。
【図６】電力需要予測量情報１６４を示す。
【図７】負荷計測値情報１７１を示す。
【図８】削減量情報１７２を示す。
【図９】優先度情報１７３を示す。
【図１０】ＤＬＣ拒否率情報１７４を示す。
【図１１】不愉快度情報１７５を示す。
【図１２】候補機器情報１７６を示す。
【図１３】起動予測処理を示す。
【図１４】起動処理を示す。
【図１５】優先度設定画面を示す。
【図１６】確認画面を示す。
【図１７】調査画面を示す。
【発明を実施するための形態】
【００１０】
以下、本発明の実施例について図面を用いて説明する。
【００１１】
図１は、本発明の実施例の電力需要調整システムの構成を示す。
【００１２】
電力需要調整システムは、演算装置１００と、制御装置２００と、入力装置３００と、電力設備４００とを含む。演算装置１００は、電力会社やデータセンタなどに設けられており、制御装置２００と、電力設備４００とは、複数の需要家設備のそれぞれに設けられている。入力装置３００と、需要家設備内に設けられていても良いし、需要家により携帯されても良い。演算装置１００と、制御装置２００と、入力装置３００とは、通信ネットワーク５１０を介して接続されている。通信ネットワークは、移動体通信ネットワークであっても良いし、有線通信ネットワークであっても良い。制御装置２００と電力設備４００は、通信ネットワーク５２０を介して接続されている。通信ネットワーク５２０は、例えば近距離無線通信を用いる。電力設備４００は、電力網５３０に接続され電力網５３０から電力の供給を受ける。
【００１３】
電力網５３０は、発電設備と送電設備を含む。発電設備は、風力発電、太陽光発電、蓄電池などの分散型電源を含んでも良い。
【００１４】
演算装置１００は、例えばコンピュータであり、ＣＰＵ（Central  Processing  Unit）１１０と、通信デバイス１２０と、記憶デバイス１３０とを含む。記憶デバイス１３０は、プログラムおよびデータを格納する。ＣＰＵ１１０は、記憶デバイス１３０に格納されたプログラムおよびデータに基づいて、演算装置１００の処理を行う。通信デバイス１２０は、ＣＰＵ１１０からの指示に従って、制御装置２００および入力装置３００と通信する。
【００１５】
記憶デバイス１３０は、プログラムとして、供給量受信部１４１と、需要量予測部１４２と、供給量予測部１４３と、起動判定部１４４と、起動判定予測部１４５と、候補機器選択部１４６と、対象機器決定部１４７と、計測情報受信部１５１と、負荷平均算出部１５２と、確認部１５３と、調査部１５４と、入力情報管理部１５５と、指令出力部１５６とを格納する。記憶デバイス１３０は更に、データとして、電力供給量情報１６１と、電力供給予測量情報１６２と、電力需要量情報１６３と、電力需要予測量情報１６４と、負荷計測値情報１７１と、削減量情報１７２と、優先度情報１７３と、ＤＬＣ拒否率情報１７４と、不愉快度情報１７５と、候補機器情報１７６とを格納する。各部の詳細については後述する。
【００１６】
制御装置２００は、例えばコンピュータであり、ＣＰＵ２１０と、通信デバイス２２０と、記憶デバイス２３０とを含む。なお、制御装置２００は、ＨＥＭＳ（Home  Energy  Management  System）のコントローラやＨＧＷ（Home  Gateway）などであっても良い。記憶デバイス２３０は、プログラムおよびデータを格納する。ＣＰＵ２１０は、記憶デバイス２３０に格納されたプログラムおよびデータに基づいて、制御装置２００の処理を行う。通信デバイス２２０は、ＣＰＵ２１０からの指示に従って、演算装置１００および入力装置３００と通信する。
【００１７】
記憶デバイス２３０は、プログラムとして、制御部２３１と、計測部２３２とを格納する。制御部２３１は、電力設備４００の需要を制御するための指令を演算装置１００から受信し、指令に従って電力設備４００を制御する。計測部２３２は、電力の計測情報の要求を電力設備４００へ送信し、計測情報を電力設備４００から受信する。
【００１８】
入力装置３００は、例えばコンピュータであり、ＣＰＵ３１０と、通信デバイス３２０と、記憶デバイス３３０と、入力デバイス３４０と、出力デバイス３５０とを含む。なお、入力装置３００は、ＰＣ（Personal  Computer）、インホーム（In  Home）ディスプレイ、タブレット端末、携帯通信端末などであっても良い。記憶デバイス３３０は、プログラムおよびデータを格納する。ＣＰＵ３１０は、記憶デバイス３３０に格納されたプログラムおよびデータに基づいて、入力装置３００の処理を行う。通信デバイス３２０は、ＣＰＵ３１０からの指示に従って、演算装置１００および制御装置２００と通信する。
【００１９】
なお、制御装置２００と入力装置３００は、一つのコンピュータであっても良い。
【００２０】
記憶デバイス３３０は、プログラムとして、入力部３３１を格納する。入力部３３１は、演算装置１００から受信した情報を表示し、需要家から入力された情報を演算装置１００へ送信する。
【００２１】
電力設備４００は、機器４１０と、ＬＣＳ（Load  Control  Switch）４２０とを含む。機器４１０は、需要家により使用され電力を消費する機器であり、ＬＣＳ４２０を介して電力網５３０に接続されている。例えば、機器４１０は、空調機、電気給湯器、ＥＶ（Electric  Vehicle）充電器など、ＬＣＳ４２０は、通信ネットワーク５２０を介して制御装置２００からの指示を受信し、その指示に従って電力網５３０から機器４１０への電流を遮断する。更にＬＣＳ４２０は、制御装置２００からの指示に従って、機器４１０により需要される電力を計測し、通信ネットワーク５２０を介して制御装置２００へ計測情報を送信する。なお、ＬＣＳ４２０の代わりに、機器４１０が電力制御、電力計測、および通信の機能を有していても良い。
【００２２】
演算装置１００、制御装置２００、入力装置３００の各コンピュータに格納されているプログラムは、コンピュータにより読み取り可能な記憶媒体に格納されていても良い。この場合、コンピュータがその記憶媒体からプログラムを読み出し、そのプログラムを内部の記憶デバイスへ書き込む。
【００２３】
図２は、電力需要調整システムの機能構成を示す。
【００２４】
制御装置２００、入力装置３００、電力設備４００は、需要家設備毎に設けられている。この図においては、需要家Ａが需要家Ａ設備を有し、需要家Ｂが需要家Ｂ設備を有し、需要家Ｃが需要家Ｃ設備を有する。以下、演算装置１００と需要家Ａ設備の関係について説明するが、需要家Ｂ設備および需要家Ｃ設備についても同様である。
【００２５】
演算装置１００において、供給量受信部１４１は、電力供給を制御するシステムまたは発電設備から電力網５３０への電力供給量を受信し、電力供給量情報１６１へ保存する。供給量予測部１４３は、供給環境に関する供給環境情報を受信し、曜日および時間帯で表される時間枠に対応する電力供給量情報１６１と供給環境情報とに基づいて、当該時間枠の電力供給量を予測し、電力供給予測量情報１６２へ保存する。
【００２６】
制御装置２００において、計測部２３２は、所定の計測時間間隔で、計測情報の要求をＬＣＳ４２０へ送信することにより、ＬＣＳ４２０から計測情報を受信し、計測情報を演算装置１００へ送信する。例えば、計測時間間隔は５分であり、計測情報は機器４１０により消費された積算電力量［Ｗｈ］である。
【００２７】
演算装置１００において、計測情報受信部１５１は、制御装置２００から計測情報を受信し、負荷計測値情報１７２へ保存する。更に計測情報受信部１５１は、同一時間帯における、すべての機器４１０の負荷計測値を合計し、電力需要量情報１６３へ保存する。需要量予測部１４２は、需要環境に関する需要環境情報を受信し、時間枠に対応する電力需要量情報１６３と需要環境情報とに基づいて、当該時間枠の電力需要量を予測し、電力需要予測量情報１６４へ保存する。負荷平均算出部１５２は、時間枠に対応する電力需要量情報１６３の平均値を削減量として算出し、削減量情報１７２へ保存する。
【００２８】
演算装置１００において、起動判定予測部１４５は、未来の計画期間の時間枠に対応する電力供給予測量情報１６２と電力需要予測量情報１６４に基づいて、計画期間におけるＤＬＣの追加が必要であるか否かを判定する。計画期間におけるＤＬＣの追加が必要であると判定された場合、候補機器選択部１４６は、記憶デバイス１３０内のデータにより管理されている複数の機器の中からＤＬＣの候補となる候補機器を抽出し、需要家から拒否された機器を候補機器から除き、候補機器を示す候補機器情報１７６を保存する。確認部１５３は、抽出された機器に対応する入力装置３００へＤＬＣの実施の可否の問い合わせを送信する。
【００２９】
その後、供給量予測部１４３は、新たな電力供給量情報１６１および供給環境情報に基づいて、電力供給予測量情報１６２を更新し、需要量予測部１４２は、新たな電力需要量情報１６３および需要環境情報に基づいて、電力需要予測量情報１６４を更新する。起動判定部１４４は、更新された電力供給予測量情報１６２と電力需要予測量情報１６４に基づいて、計画期間におけるＤＬＣの追加が必要であるか否かを再び判定する。計画期間におけるＤＬＣの追加が必要であると判定された場合、対象機器決定部１４７は、候補機器の中からＤＬＣの対象となる対象機器を決定する。指令出力部１５６は、対象機器に対応する制御装置２００へ対象機器のＤＬＣの指令を送信する。調査部１５４は、入力装置３００へＤＬＣの結果を示す結果情報を送信する。制御装置２００において、制御部２３１は、演算装置１００からの指令に従ってＬＣＳ４２０を制御する。
【００３０】
演算装置１００において、入力情報管理部１５５は、入力装置３００から受信した情報に基づいて、優先度情報１７３と、ＤＬＣ拒否率情報１７４と、不愉快度情報１７５とを算出して保存する。
【００３１】
以下、演算装置１００に格納されているデータについて説明する。
【００３２】
図３は、電力供給量情報１６１を示す。
【００３３】
電力供給量情報１６１は、過去の日付と時間帯で表される計測期間毎のエントリを有する。或る計測期間のエントリは、当該計測期間の日付６１１と、当該計測期間の曜日６１２と、当該計測期間の時間帯６１３と、当該計測期間に供給され計測された電力量である供給量６１４とを含む。
【００３４】
図４は、電力供給予測量情報１６２を示す。
【００３５】
電力供給予測量情報１６２は、曜日と時間帯で表される時間枠毎のエントリを有する。或る時間枠のエントリは、当該時間枠の曜日６２１と、当該時間枠の時間帯６２２と、当該時間枠に供給されると予測された電力量である供給量６２３とを含む。
【００３６】
図５は、電力需要量情報１６３を示す。
【００３７】
電力需要量情報１６３は、過去の日付と時間帯で表される計測期間毎のエントリを有する。或る計測期間のエントリは、当該計測期間の日付６３１と、当該計測期間の曜日６３２と、当該計測期間の時間帯６３３と、当該計測期間に需要され計測された電力量である需要量６３４とを含む。
【００３８】
図６は、電力需要予測量情報１６４を示す。
【００３９】
電力需要予測量情報１６４は、曜日と時間帯で表される時間枠毎のエントリを有する。或る時間枠のエントリは、当該時間枠の曜日６４１と、当該時間枠の時間帯６４２と、当該時間枠に需要されると予測された電力量である需要量６４３とを含む。
【００４０】
図７は、負荷計測値情報１７１を示す。
【００４１】
負荷計測値情報１７１は、機器４１０と計測時刻の組み合わせ毎のエントリを有する。或る機器４１０と或る計測時刻に対応するエントリは、当該機器を所有する需要家を示す需要家ＩＤ７１１と、当該機器を示す機器ＩＤ７１２と、当該計測時刻の日付７１３と、当該計測時刻の曜日７１４と、当該計測時刻の時刻７１５と、当該計測時刻に計測された当該機器の需要電力である計測値７１６とを含む。
【００４２】
図８は、削減量情報１７２を示す。
【００４３】
削減量情報１７２は、機器４１０と時間枠の組み合わせ毎のエントリを有する。或る機器４１０と或る時間枠に対応するエントリは、当該機器を所有する需要家を示す需要家ＩＤ７２１と、当該機器を示す機器ＩＤ７２２と、当該時間枠の曜日７２３と、当該時間枠の時間帯７２４と、当該時間枠に対応する過去の当該機器の需要電力の平均値である削減量７２５とを含む。この削減量は、当該時間枠に当該機器を停止させた場合に削減される需要電力の予測値として用いられる。
【００４４】
なお、電力供給量情報１６１と、電力供給予測量情報１６２と、電力需要量情報１６３と、電力需要予測量情報１６４とが、電力量の代わりに電力を示していても良い。また、負荷計測値情報１７１と、削減量情報１７２とが、電力の代わりに電力量を示していても良い。
【００４５】
図９は、優先度情報１７３を示す。
【００４６】
優先度情報１７３は、機器４１０と時間枠の組み合わせ毎のエントリを有する。或る機器４１０と或る時間枠に対応するエントリは、当該機器を所有する需要家を示す需要家ＩＤ７３１と、当該機器を示す機器ＩＤ７３２と、当該時間枠の曜日７３３と、当該時間枠の時間帯７３４と、当該機器および当該時間枠に対して設定された優先度７３５とを含む。例えば、優先度は０、１、２、３、４、５の６段階で表され、優先度が０である場合、当該機器はＤＬＣの対象にならない。優先度情報１７３は、この他に、需要家から指定された日付を有していても良い。日付に対応する優先度は、日付に対応していない優先度より優先して用いられる。
【００４７】
図１０は、ＤＬＣ拒否率情報１７４を示す。
【００４８】
ＤＬＣ拒否率情報１７４は、機器４１０と時間枠の組み合わせ毎のエントリを有する。或る機器４１０と或る時間枠に対応するエントリは、当該機器を所有する需要家を示す需要家ＩＤ７４１と、当該機器を示す機器ＩＤ７４２と、当該時間枠の曜日７４３と、当該時間枠の時間帯７４４と、当該時間枠における当該機器のＤＬＣのＤＬＣ拒否率７４５と、当該時間枠における当該機器のＤＬＣの確認回数７４６と、当該時間枠における当該機器のＤＬＣの問合に対する拒否回数７４７とを含む。拒否率７４５は、拒否回数７４７を確認回数７４６で除した値である。なお、拒否率７４５の代わりに、拒否回数７４７に基づく値が用いられても良い。
【００４９】
図１１は、不愉快度情報１７５を示す。
【００５０】
不愉快度情報１７５は、機器４１０と時間枠の組み合わせ毎のエントリを有する。或る機器４１０と或る時間枠に対応するエントリは、当該機器を所有する需要家を示す需要家ＩＤ７５１と、当該機器を示す機器ＩＤ７５２と、当該時間枠の曜日７５３と、当該時間枠の時間帯７５４と、当該時間枠における当該機器のＤＬＣの不愉快度７５５と、当該時間枠における当該機器のＤＬＣに対する調査回数７５６と、当該時間枠における当該機器のＤＬＣに対する調査における不愉快回答数７５７とを含む。不愉快度７５５は、不愉快回答数７５７を調査回数７５６で除した値である。なお、不愉快度７５５の代わりに、不愉快回答数７５７に基づく値が用いられても良いし、不愉快の大きさを示す値が用いられても良い。
【００５１】
削減量、優先度、ＤＬＣ拒否率、不愉快度のそれぞれが、時間枠毎に格納されていることにより、計画期間の時間枠に対して適切な機器を選択することができる。
【００５２】
図１２は、候補機器情報１７６を示す。
【００５３】
候補機器情報１７６は、候補機器選択部１４６により選択された機器である候補機器と、ＤＬＣを実施する期間である計画期間との組み合わせ毎のエントリを有する。或る候補機器と或る計画期間に対応するエントリは、当該候補機器を所有する需要家を示す需要家ＩＤ７６１と、当該候補機器を示す機器ＩＤ７６２と、当該計画期間の日付７６３と、当該計画期間の曜日７６４と、当該計画期間の時間帯７６５と、当該計画期間に当該候補機器へＤＬＣを実施したか否かを示す制御済情報７６６とを含む。制御済情報７６６は例えば、「済」または「未」の値を有する。
【００５４】
以下、電力需要調整システムの動作について説明する。
【００５５】
図１３は、起動予測処理を示す。
【００５６】
起動判定予測部１４５は、定期的に起動予測処理を実行する。例えば、起動判定予測部１４５は、１日１回、深夜に、翌日の複数の時間枠のそれぞれを計画期間として決定し、各計画期間に対して起動予測処理を実行する。
【００５７】
Ｓ１１０において、供給量予測部１４３は、計画期間の電力供給量に影響を与える供給環境情報を外部から受信する。例えば、電力網５３０が風量発電を含む場合、供給環境情報は、計画期間の風況の予測値を含む。例えば、電力網５３０が太陽光発電を含む場合、供給環境情報は、計画期間の日射量の予測値を含む。更に供給量予測部１４３は、電力供給量情報１６１の中で計画期間の時間枠に対応する供給量６１４と、計画期間の供給環境情報とに基づいて、計画期間の電力供給量を電力供給予測量として予測し、電力供給予測量情報１６２の中の当該時間枠に対応する供給量６２３へ電力供給予測量を保存する。
【００５８】
その後、Ｓ１２０において、需要量予測部１４２は、計画期間の電力需要量に影響を与える需要環境情報を外部から受信する。例えば、需要環境情報は、計画期間の気温や湿度の予測値を含む。更に需要量予測部１４２は、電力需要量情報１６３の中で計画期間の時間枠に対応する需要量６３４と、計画期間の需要環境情報に基づいて、計画期間の電力需要量を電力需要予測量として予測し、電力需要予測量情報１６４の中の当該時間枠に対応する需要量６４３へ電力需要予測量を保存する。
【００５９】
その後、Ｓ１３０において、起動判定予測部１４５は、計画期間の電力供給予測量および電力需要予測量を比較することにより、計画期間におけるＤＬＣの追加が必要であるか否かを判定する。例えば、起動判定予測部１４５は、電力需要予測量を電力供給予測量で除した値を、使用率として算出し、使用率が第一使用率閾値を上回る場合に、ＤＬＣの追加が必要であると判定する。第一使用率閾値は１より低く、例えば０．８である。なお、起動判定予測部１４５は、使用率の代わりに、（電力供給予測量−電力需要予測量）／電力供給予測量である予備率を算出し、予備率が予め定められた閾値を下回る場合に、ＤＬＣの追加が必要であると判定しても良い。
【００６０】
ここで、既に候補機器が選択されている場合、起動判定予測部１４５は、削減量情報１７２の中で当該時間枠および候補機器に対応する削減量７２５を、電力需要予測量から減ずることにより、候補機器のＤＬＣを実施した場合の電力需要予測量を算出する。
【００６１】
Ｓ１３０において、ＤＬＣの追加が不要であると判定された場合（Ｎｏ）、起動判定予測部１４５は、このフローを終了する。
【００６２】
Ｓ１３０において、ＤＬＣの追加が必要であると判定された場合（Ｙｅｓ）、Ｓ１４０において、候補機器選択部１４６は、計画期間の時間枠および機器に対応する、削減量情報１７２と、優先度情報１７３と、ＤＬＣ拒否率情報１７４と、不愉快度情報１７５とに基づいて機器のそれぞれの選択順位を決定し、その選択順位に従ってＤＬＣの対象の候補となる機器４１０を候補機器に追加し、候補機器および計画期間を示すエントリを候補機器情報１７６へ保存する。このとき、当該エントリの制御済情報７６６は「未」を示す。
【００６３】
ここで、候補機器選択部１４６は、計画期間の時間枠および機器に対応する削減量、優先度、ＤＬＣ拒否率、不愉快度に基づいて、選択順位を決定する。候補機器選択部１４６は、ＤＬＣの追加が不要になるまで、選択順位が高い機器から順に候補機器として選択する。例えば、候補機器選択部１４６は、削減量情報１７２の中で当該時間枠に対応する削減量７２５が大きい機器ほど、選択順位を高くする。また、候補機器選択部１４６は、優先度情報１７３の中で当該時間枠に対応する優先度７３５が高い機器ほど、選択順位を高くする。また、候補機器選択部１４６は、ＤＬＣ拒否率情報１７４の中で当該時間枠に対応するＤＬＣ拒否率７４５が低い機器ほど、選択順位を高くする。また、候補機器選択部１４６は、不愉快度情報１７５の中で当該時間枠に対応する不愉快度７５５が低い機器ほど、選択順位を高くする。
【００６４】
ここで、候補機器選択部１４６は、削減量、優先度、ＤＬＣ拒否率、不愉快度のそれぞれを評価値とし、予め定められた順序に従って、複数の評価値の一つを選択し、計画期間の時間枠に対応する評価値で機器をソートすることにより、選択順位を決定しても良い。その評価値に差が無い機器については、次の順序の評価値を選択してソートすることにより、選択順位を決定する。演算装置１００は、削減量、優先度、ＤＬＣ拒否率、不愉快度の何れかを用いなくても良い。
【００６５】
また、候補機器選択部１４６は、予め定められた各評価値の重みを用いて、計画期間の時間枠および機器に対応する各評価値を重み付けして加算することによりスコアを算出し、スコアで機器をソートすることにより、選択順位を決定しても良い。また、候補機器選択部１４６は、評価値またはスコアにランダムな値を加えてからソートしても良いし、選択順位が互いに等しくなる複数の機器の中からランダムに候補機器を選択しても良い。
【００６６】
その後、Ｓ１５０において、確認部１５３は、候補機器のそれぞれについて、候補機器に対するＤＬＣの実施の可否の問い合わせを示す確認情報を、候補機器に対応する需要家の入力装置３００へ送信する。問い合わせは、回答期限を示していても良い。入力情報管理部１５５は、ＤＬＣ拒否率情報１７４において、候補機器と計画期間の時間枠とに対応する確認回数７４６を増加させる。入力機器２００において、入力部３３１は、確認情報を受信し、確認画面を出力デバイス３５０に表示させる。確認画面の表示に応じて、需要家が当該ＤＬＣの拒否を入力デバイス３４０へ入力すると、入力部３３１は、拒否情報を演算装置１００へ送信する。なお、確認情報や拒否情報は、電子メールであっても良い。
【００６７】
その後、回答期限までに、入力情報管理部１５５が拒否情報を受信した場合、確認部１５３は、当該ＤＬＣが拒否されたと判定する。この場合、入力情報管理部１５５は、ＤＬＣ拒否率情報１７４において、拒否情報に対応する機器と計画期間の時間枠とに対応する拒否回数７４７を増加させ、候補機器情報１７６から当該機器のエントリを削除することにより候補機器から当該機器を除く。回答期限までに、入力情報管理部１５５が拒否情報を受信しなかった場合、確認部１５３は、当該ＤＬＣが受諾されたと判定する。需要家が回答期限までに拒否情報を送信しない場合に、ＤＬＣを受諾したと見なすことは、契約などにより予め需要家に通知される。その後、入力情報管理部１５５は、当該候補機器と計画期間の時間枠とに対応する拒否率７４５を算出し、ＤＬＣ拒否率情報１７４へ保存する。その後、確認部１５３は、すべての候補機器について問い合わせの結果を判定すると、処理をＳ１２０へ移行させる。
【００６８】
以上のＳ１３０〜Ｓ１５０の処理は、Ｓ１３０においてＤＬＣの追加が不要である（Ｎｏ）と判定されるまで繰り返される。
【００６９】
以上の起動予測処理によれば、ＤＬＣの対象の候補となる機器を選択することができる。また、需要家はＤＬＣを拒否することができる。これにより、拒否率を候補の選択に用いることができる。
【００７０】
図１４は、起動処理を示す。
【００７１】
起動予測処理の後、起動判定部１４４は、計画期間前に起動処理を実行する。例えば、起動判定部１４４は、各計画期間の開始より所定の準備時間だけ前の時刻になると、起動処理を実行する。また、起動判定部１４４は、計画期間中に起動処理を実行しても良い。また、起動判定部１４４は、電力供給量が逼迫した場合など、緊急の需要調整が必要な場合に、起動処理を実行しても良い。
【００７２】
Ｓ２１０において、供給量予測部１４３は、Ｓ１１０と同様にして計画期間の電力供給予測量を算出して保存する。その後、Ｓ２２０において、需要量予測部１４２は、Ｓ１２０と同様にして電力需要予測量を算出して保存する。起動処理では、起動予測処理より計画期間に近い時刻の情報に基づいて電力供給予測量および電力需要予測量を算出することにより、起動予測処理より正確な電力供給予測量および電力需要予測量を算出することができる。なお、Ｓ２１０において、供給量予測部１４３は、最新の電力供給量の実績を計画期間の電力供給予測量としても良い。また、Ｓ２２０において、需要量予測部１４２は、最新の電力需要量の実績を計画期間の電力需要予測量としても良い。
【００７３】
その後、Ｓ２３０において、起動判定部１４４は、計画期間の電力供給予測量および電力需要予測量を比較することにより、計画期間におけるＤＬＣの追加が必要であるか否かを判定する。例えば、起動判定部１４４は、使用率を算出し、使用率が第二使用率閾値を上回る場合に、ＤＬＣの追加が必要であると判定する。第二使用率閾値は第一使用率閾値より高く且つ１より低く、例えば０．９５である。なお、起動判定部１４４は、使用率の代わりに予備率を算出し、予備率が予め定められた閾値を下回る場合に、ＤＬＣの追加が必要であると判定しても良い。
【００７４】
ここで、既に対象機器が選択されている場合、起動判定部１４４は、削減量情報１７２の中で当該時間枠および候補機器に対応する削減量７２５を、電力需要予測量から減ずることにより、対象機器のＤＬＣを実施した場合の電力需要予測量を算出する。
【００７５】
Ｓ２３０において、ＤＬＣの追加が必要であると判定された場合（Ｙｅｓ）、Ｓ２４０において、対象機器決定部１４７は、計画期間の時間枠および候補機器に対応する、削減量情報１７２と、優先度情報１７３と、不愉快度情報１７５とに基づいて、候補機器のそれぞれの選択順位を決定し、その選択順位に従って、ＤＬＣの対象となる機器４１０を対象機器として選択する。ここで、対象機器決定部１４７は、候補機器選択部１４６と同様にして選択順位を決定するが、ＤＬＣ拒否率情報１７４を用いない。
【００７６】
その後、Ｓ２５０において、指令出力部１５６は、対象機器に対応する制御装置２００へ対象機器のＤＬＣの指令を送信することにより、ＤＬＣを実施する。制御装置２００において、制御部２３１は、この指令を受信し、指令に従って対象機器のＬＣＳ４２０を制御する。ＬＣＳ４２０は、電力網５３０から対象機器への電流を遮断する。制御装置２００において、制御部２３１は、制御結果を演算装置１００へ送信する。
【００７７】
その後、Ｓ２５０において、指令出力部１５６は、制御装置２００から制御結果を受信し、候補機器情報１７６において、対象機器に対応する制御済情報７６６を「済」に変更し、処理をＳ２３０へ移行させる。
【００７８】
以上のＳ２３０〜Ｓ２５０の処理は、Ｓ２３０においてＤＬＣの追加が不要である（Ｎｏ）と判定されるまで繰り返される。
【００７９】
Ｓ２３０において、ＤＬＣの追加が不要であると判定された場合（Ｎｏ）、Ｓ３１０において、調査部１５４は、候補機器情報１７６において計画期間の時間帯に対応する候補機器の中に未制御の候補機器が有るか否かを判定する。未制御の候補機器とは、候補機器情報１７６の制御済情報７６６が「未」である候補機器であり、対象機器として選択されていない候補機器である。
【００８０】
Ｓ３１０において、未制御の候補機器が無いと判定された場合（Ｎｏ）、調査部１５４は、このフローを終了する。
【００８１】
Ｓ３１０において、未制御の候補機器が有ると判定された場合（Ｙｅｓ）、Ｓ３２０において、調査部１５４は、未制御の候補機器を示す結果情報を、当該候補機器に対応する需要家へ送信する。入力情報管理部１５５は、不愉快度情報１７５において、当該候補機器と計画期間の時間枠とに対応する調査回数７５６を増加させる。入力機器２００において、入力部３３１は、結果情報に基づいて、調査画面を出力デバイス３５０へ表示させる。調査画面の表示に応じて、需要家が不愉快であることを示す情報を入力デバイス３４０へ入力すると、入力部３３１は、不愉快情報を演算装置１００へ送信する。例えば、需要家が空調機に対するＤＬＣを事前に受諾し、その空調機を使えないために外出していたにも関わらず、ＤＬＣが実施されなかった場合、その需要家は不愉快に感じることがある。なお、結果情報や不愉快情報は、電子メールであっても良い。
【００８２】
その後、Ｓ３３０において、入力情報管理部１５５は、不愉快情報を受信した場合、不愉快度情報１７５において、当該候補機器と計画期間の時間枠とに対応する不愉快回答数７５７を増加させる。入力情報管理部１５５は、当該候補機器と計画期間の時間枠とに対応する不愉快度７５５を算出し、不愉快度情報１７５へ保存し、このフローを終了する。
【００８３】
なお、起動処理において、候補機器のすべてを対象機器として選択しても、更なるＤＬＣの追加が必要であると判定される場合、候補機器以外の機器を対象機器として選択しても良い。また、本実施例において、調査部１５４は、候補機器のすべてに結果情報を送信しても良いし、候補機器および対象機器の何れかに選択された機器のすべてに結果情報を送信しても良い。
【００８４】
以上の起動処理によれば、候補の中からＤＬＣの対象となる機器を選択することができる。また、ＤＬＣを受諾したにも関わらずＤＬＣの対象とならなかったことにより、需要家の不満を調査することができる。第二使用率閾値を第一使用率閾値より高く設定することにより、候補機器の数が対象機器の数より多くなる可能性が高くなり、対象機器の数が候補機器の数を超えることを防ぐことができる。
【００８５】
図１５は、優先度設定画面を示す。
【００８６】
入力装置３００において、需要家による入力デバイス３４０の操作に応じて、入力部３３１は、当該需要家の機器４１０の優先度設定要求を演算装置１００へ送信する。演算装置１００において、入力情報管理部１５５は、優先度設定要求に応じて優先度設定画面の情報を入力装置３００へ送信する。入力装置３００において、入力部３３１は、優先度設定画面の情報に基づいて優先度設定画面を出力デバイス３５０に表示させる。例えば、入力情報管理部１５５は、Ｗｅｂアプリケーションにより優先度設定画面を入力装置３００へ提供する。
【００８７】
優先度設定画面は、通常設定部８１０と、指定期間設定部８２０と、登録ボタン８３０と、メッセージ表示部８４０とを含む。通常設定部８１０は、当該機器に対し、通常の時間帯毎の優先度である通常優先度を入力するための入力欄である。指定期間設定部８２０は、当該機器に対し、指定期間における優先度である指定期間優先度を入力するための入力欄である。候補機器選択部１４６および対象機器決定部１４７は、計画期間が指定期間を含まない場合に通常優先度を用い、計画期間が指定期間を含む場合に指定期間優先度を用いる。登録ボタン８３０が押下されると、入力部３３１は、通常設定部８１０および指定期間設定部８２０へ入力された情報を演算装置１００へ送信する。入力情報管理部１５５は、その情報を受信し、優先度情報１７３へ反映させる。メッセージ表示部８４０は、入力された情報のエラーなどを表示する。
【００８８】
通常設定部８１０は、時間帯毎のエントリを有する。各エントリは、番号８１１と、時間帯入力部８１２と、優先度入力部８１３とを含む。番号８１１は、当該エントリの番号である。時間帯入力部８１２には、直前の時間帯の終了時刻が、指定する時間帯の開始時刻として表示され、指定する時間帯の終了時刻が入力される。優先度入力部８１３には、当該時間帯における当該機器の優先度が入力される。これにより、需要家は、通常時の時間枠と機器に対応する優先度を設定することができる。デフォルトでは、例えば、通常優先度として、優先度の範囲の中央値が設定されている。
【００８９】
指定期間設定部８２０は、指定期間の日付毎のエントリ８２６と追加ボタン８２７を含む。追加ボタン８２７が押下されると、指定期間設定部８２０は、新たなエントリ８２６を追加する。各エントリ８２５は、番号８２１と、日付入力部８２２と、時間帯入力部８２３と、優先度入力部８２４と、削除ボタン８２５とを含む。番号８２１は、当該エントリの番号である。日付入力部８２２には、指定期間の日付が入力される。時間帯入力部８２３には、直前の時間帯の終了時刻が、指定期間の時間帯の開始時刻として表示され、指定期間の時間帯の終了時刻が入力される。優先度入力部８２４には、当該指定期間における当該機器の優先度が入力される。削除ボタン８２５が押下されると、指定期間設定部８２０は、対応するエントリ８２６を削除する。これにより、需要家は、指定期間と機器に対応する優先度を設定することができる。
【００９０】
この優先度設定画面によれば、需要家は、通常の優先度の設定の他に、日時を指定して優先度を設定することができる。また、特定の時間帯で特定の機器をＤＬＣの対象から外すことができる。例えば、需要家が特定の曜日に仕事で家に居ないので、その曜日の特定の機器の優先度を高くしているが、その曜日に仕事を休んで家にいることになった場合、指定日設定を行うことにより、その日に特定の機器をＤＬＣの対象から外すことができる。
【００９１】
なお、需要家による入力デバイス３４０の操作に応じて、入力部３３１は、当該需要家の機器４１０を登録するための登録画面を表示デバイス３５０に表示させても良い。
【００９２】
図１６は、確認画面を示す。
【００９３】
前述のように、確認画面は、起動予測処理において入力装置３００の出力デバイス３５０に表示される。
【００９４】
確認画面は、計画表示部９１０と、拒否ボタン９２０と、終了ボタン９３０とを含む。計画表示部９１０は、計画期間の日付および時間帯と、候補機器とを示す。需要家による入力デバイス３４０の操作により拒否ボタン９２０が押下されると、入力部３３１は、拒否情報を演算装置１００へ送信する。需要家が複数の候補機器を有している場合、確認画面は、どの候補機器に対するＤＬＣを拒否するかを需要家に選択させるために、複数の候補機器の一覧を含む。終了ボタン９３０が押下されると、入力部３３１は、確認画面を閉じる。
【００９５】
この確認画面によれば、需要家は、ＤＬＣの計画を事前に知ることができ、そのＤＬＣを拒否することができる。
【００９６】
図１７は、調査画面を示す。
【００９７】
前述のように、調査画面は、起動処理において入力装置３００の出力デバイス３５０に表示される。
【００９８】
調査画面は、結果表示部９５０と、不愉快ボタン９６０と、終了ボタン９７０とを含む。結果表示部９５０は、計画期間の日付および時間帯と、候補機器と、ＤＬＣが実施されなかったことを示す。需要家による入力デバイス３４０の操作により不愉快ボタン９６０が押下されると、入力部３３１は、不愉快情報を演算装置１００へ送信する。終了ボタン９７０が押下されると、入力部３３１は、調査画面を閉じる。
【００９９】
この調査画面によれば、演算装置１００は、需要家がＤＬＣの結果を不愉快だと感じたことを示す不愉快情報を受信することができ、その後のＤＬＣの対象の選択に不愉快情報を用いることができる。特に、需要家がＤＬＣを受諾したにもかかわらず、ＤＬＣが実施されずに、需要家が不愉快と感じた場合に、演算装置１００は、不愉快情報を受信することができる。
【０１００】
本実施例の効果について説明する。
【０１０１】
不愉快度が低い機器を優先して候補機器または対象機器とすることにより、不愉快度が高くなりやすい需要家の機器が候補機器として選択され難くなり、需要家の不愉快度の上昇を防ぐことができる。ＤＬＣ拒否率が低い機器を優先して候補機器として選択することにより、拒否されやすい機器が候補機器として選択され難くなり、ＤＬＣが拒否される確率を抑えることができ、起動予測処理により必要な需要調整量を確保するまでの時間を抑え、一定時間内に必要な需要調整量を確保する可能性を高めることができる。需要家により設定された通常時の優先度と指定日の優先度を用い、計画期間が指定日であれば指定日の優先度を用いて候補機器または対象機器を選択することにより、需要家の希望をきめ細かく反映させることができ、電力需要調整システムの顧客満足度を高めることができる。予め算出された削減量が高い機器を優先して候補機器または対象機器として選択することにより、起動予測処理により必要な需要調整量を確保するまでの時間を抑えることができる。
【０１０２】
また、電力網５３０が再生可能エネルギーによる発電設備を多く含む場合、電力供給量の制御が困難であり、電力供給量の変動は大きい。本実施例によれば、電力供給量の制御が困難で、電力供給量の変動が大きい場合でも、機器を直接制御することにより、電力供給量に合わせて電力需要量を調整することができ、一定時間内に必要な需要調整量を確保する可能性を高めることができる。
【０１０３】
また、契約によりＤＬＣを実行することが許されていても、需要家は機器毎にＤＬＣを事前に拒否することができるので、拒否できない場合に比べて、電力需要調整システムの顧客満足度を高めることができる。また、需要家が不愉快と感じた場合を調査し、不愉快と感じる動作を避けることにより、電力需要調整システムの顧客満足度を高めることができる。これらのように顧客満足度を高めることにより、電力需要調整システムの普及を促進することができると共に、電力需要調整システムから顧客が離脱することを防ぐことができる。
【０１０４】
本発明の表現における用語について説明する。演算装置および電力需要調整装置は、演算装置１００などに対応する。制御装置は、制御装置２００などに対応する。入力装置は、入力装置３００などに対応する。機器は、機器４１０などに対応する。記憶部は、記憶デバイス１３０などに対応する。演算部は、ＣＰＵ１１０などに対応する。第一需要情報および第二需要情報は、計測情報、需要環境情報などに対応する。第一供給情報および第二供給情報は、電力供給量情報１６１、供給環境情報などに対応する。第一需要量および第二需要量は、電力需要予測量情報１６４などに対応する。第一供給量および第二供給量は、電力供給予測量情報１６２などに対応する。候補グループは、候補機器などに対応する。対象グループは、対象機器などに対応する。第一閾値は、第一使用率閾値などに対応する。第二閾値は、第二使用率閾値などに対応する。通信先は、入力装置３００、制御装置２００、またはそれらを一体化した装置などに対応する。
【０１０５】
本発明は、以上の実施例に限定されるものでなく、その趣旨から逸脱しない範囲で、他の様々な形に変更することができる。
【符号の説明】
【０１０６】
１００…演算装置  １１０…ＣＰＵ  １２０…通信デバイス  １３０…記憶デバイス  ２００…制御装置  ２１０…ＣＰＵ  ２２０…通信デバイス  ２３０…記憶デバイス  ３００…入力装置  ３１０…ＣＰＵ  ３２０…通信デバイス  ３３０…記憶デバイス  ３４０…入力デバイス  ３５０…出力デバイス  ４００…電力設備  ４１０…機器  ４２０…ＬＣＳ  ５１０…通信ネットワーク  ５２０…通信ネットワーク  ５３０…電力網
【図１】
2015154590.tif 000003
【図２】
2015154590.tif 000004
【図３】
2015154590.tif 000005
【図４】
2015154590.tif 000006
【図５】
2015154590.tif 000007
【図６】
2015154590.tif 000008
【図７】
2015154590.tif 000009
【図８】
2015154590.tif 000010
【図９】
2015154590.tif 000011
【図１０】
2015154590.tif 000012
【図１１】
2015154590.tif 000013
【図１２】
2015154590.tif 000014
【図１３】
2015154590.tif 000015
【図１４】
2015154590.tif 000016
【図１５】
2015154590.tif 000017
【図１６】
2015154590.tif 000018
【図１７】
2015154590.tif 000019